(57)【要約】【課題】簡単な構成で結露による曇りの発生を防止可能な防水機能を有する表示装置を提供することを目的とする。【解決手段】防水機能を有する表示装置１００であって、表示ユニットとしての液晶ユニット１１０と、ケース１２０と、透明パネル１５０とを備える。ケース１２０は、開口部１３６を形成する環状平面部１３４を有するフロントケース１３０を含む。透明パネル１５０は、液晶ユニット１１０で画像が表示される表示面Ｄおよび環状平面部１３４の前方に設置されている。表示面Ｄを含む液晶ユニット１１０の一部は、開口部１３６に挿入されている。【選択図】図１
2011118008.tif 000002
【特許請求の範囲】
【請求項１】
防水機能を有する表示装置であって、
表示ユニットと、
開口部を形成する環状平面部を有するケース部と、
前記表示ユニットで画像が表示される表示面および前記環状平面部の前方に設置される透明パネルとを備え、
前記表示面を含む前記表示ユニットの一部は、前記開口部に挿入されていることを特徴とする表示装置。
【請求項２】
前記表示ユニットの一部が前記開口部に挿入された状態で、前記表示面は、前記環状平面部を含む平面内に配置されていることを特徴とする請求項１に記載の表示装置。
【請求項３】
前記表示ユニットの一部が前記開口部に挿入された状態で、前記表示面は、前記環状平面部より前記透明パネルの側に突出して配置されていることを特徴とする請求項１に記載の表示装置。
【請求項４】
前記透明パネルに対向しかつ前記表示面を囲む前記表示ユニットの部分にはクッション材が設置され、
前記透明パネルが設置された状態で、前記クッション材は、前記表示ユニットと前記透明パネルとによって圧縮されていることを特徴とする請求項１から請求項３のいずれか１項に記載の表示装置。
【発明の詳細な説明】
【技術分野】
【０００１】
本発明は、防水機能（防水構造）を有する表示装置に関するものである。
【背景技術】
【０００２】
表示装置が広く利用されている。表示装置の中には、屋外および／または屋内で水が存在する環境で使用されるものもある。例えば浴室または船上で使用されるものがある。このような場合、表示装置には防水機能が付加される。換言すれば、表示装置は防水機能を有する。防水機能を有する表示装置として、液晶ユニットと、液晶ユニットを内蔵し保持および保護する筐体と、液晶ユニットの前方に所定の間隔を空けて配置される透明の保護パネルとを備えるとともに、液晶ユニットと筐体または保護パネル間に多孔質シール材を設けた液晶表示装置が提案されている。この液晶表示装置によれば、防塵防水性を実現しつつ、結露の発生を防止することができるとされている（例えば、特許文献１参照）。
【先行技術文献】
【特許文献】
【０００３】
【特許文献１】特開２００５−３０９２６８号公報
【発明の概要】
【発明が解決しようとする課題】
【０００４】
ところで、表示装置を屋外および／または屋内の水が存在する環境で使用した場合、表示装置内部の温度が上昇し、表示装置内部に存在する空気の温度が上昇する。このような状態において、表示装置の表示面の前面に設けられた透明パネル（特許文献１では「保護パネル」がこれに対応）に冷水などがかかった場合、透明パネルと表示面との間に存在する空気が急に冷却され、透明パネルの内面側などに結露が生じ、曇りが発生するおそれがある。
【０００５】
本発明は、簡単な構成で結露による曇りの発生を防止可能な防水機能を有する表示装置を提供することを目的とする。
【課題を解決するための手段】
【０００６】
本発明の一側面は、防水機能を有する表示装置であって、表示ユニットと、開口部を形成する環状平面部を有するケース部と、前記表示ユニットで画像が表示される表示面および前記環状平面部の前方に設置される透明パネルとを備え、前記表示面を含む前記表示ユニットの一部は、前記開口部に挿入されていることを特徴とする表示装置である。これによれば、表示面と保護パネルとの間の空間を縮小することが可能で、この空間に存在する空気の量を少なくすることができる。
【０００７】
本発明の他の側面では、前記表示ユニットの一部が前記開口部に挿入された状態で、前記表示面は、前記環状平面部を含む平面内に配置されていることを特徴とする。これによれば、表示面と保護パネルとの間の空間をより縮小することが可能で、この空間に存在する空気の量をさらに少なくすることができる。
【０００８】
本発明の他の側面では、前記表示ユニットの一部が前記開口部に挿入された状態で、前記表示面は、前記環状平面部より前記透明パネルの側に突出して配置されていることを特徴とする。これによれば、表示面と保護パネルとの間の空間をより縮小することが可能で、この空間に存在する空気の量をさらに少なくすることができる。
【０００９】
本発明の他の側面では、前記透明パネルに対向しかつ前記表示面を囲む前記表示ユニットの部分にはクッション材が設置され、前記透明パネルが設置された状態で、前記クッション材は、前記表示ユニットと前記透明パネルとによって圧縮されていることを特徴とする。これによれば、表示面と保護パネルとの間の空間に存在する空気の流通を遮断することができる。
【発明の効果】
【００１０】
本発明によれば、簡単な構成で結露による曇りの発生を防止可能な防水機能を有する表示装置を得ることができる。
【図面の簡単な説明】
【００１１】
【図１】（ａ）は表示装置の正面図であり、（ｂ）は図４（ａ）のＡ−Ａ断面図である。
【図２】結露試験の結果を示す図である。
【図３】（ａ）は他の表示装置の正面図であり、（ｂ）は図４（ａ）のＢ−Ｂ断面図である。
【発明を実施するための形態】
【００１２】
本発明に係る実施形態について、図面を用いて以下に詳細に説明する。本発明は、以下に記載の構成に限定されるものではなく、同一の技術的思想において種々の構成を採用することができる。例えば、以下に説明する各構成において、所定の構成を省略することもできる。
【００１３】
（表示装置）
表示装置１００は、図１に示すような形状を有し、表示ユニットとして液晶ユニット１１０を備える液晶表示装置である。液晶ユニット１１０は、画像を表示する表示面Ｄを含む一の部分（以下、「表示部」ともいう。）を備える。液晶ユニット１１０で表示部の裏側（表示面Ｄの反対側）には、液晶ユニット１１０を動作させるための各種の電気回路（電子部品）が設けられている。なお、表示装置１００において液晶ユニット１１０は、従来から利用されている液晶ユニットを採用することが可能であり、その詳細についての説明は省略する。
【００１４】
表示装置１００は、液晶ユニット１１０の他、ケース１２０と透明パネル１５０とクッション材１６０と貼付材１７０とを備える。ケース１２０は、分割構造を有し、フロントケース１３０とリアケース１４０とで構成される。フロントケース１３０は、側壁部１３２と環状平面部１３４とで形成される。環状平面部１３４は、側壁部１３２の内周側に形成され、側壁部１３２と環状平面部１３４とは、垂直（略垂直を含む）な位置関係を有する。環状平面部１３４は、その中央部に液晶ユニット１１０の表示部が挿入、配置される開口部１３６を形成する。換言すれば、環状平面部１３４は、側壁部１３２の内周側の、側壁部１３２に垂直（略垂直を含む）な平面の中央部に開口部１３６が形成されて設けられる環状の平面部である。開口部１３６は、表示部の外形より大きな、この外形に相似する形状を有する。
【００１５】
リアケース１４０は、有底筒状の形状を有する。フロントケース１３０およびリアケース１４０は、それぞれ、所定の樹脂の射出成形などによって一体で形成されている。フロントケース１３０とリアケース１４０とは、所定の方法で組み立てられる。フロントケース１３０とリアケース１４０とが組み立てられた状態で、両者の接合箇所では、所定の方法で気密性が確保され、これによって、表示装置１００の防水機能が確保される。フロントケース１３０とリアケース１４０とを組み立てた状態で形成される空間Ｓには液晶ユニット１１０が、表示部が開口部１３６に挿入された状態で収納され、所定の方法で取り付けられる。表示部が、開口部１３６に挿入された状態で、表示部と環状平面部１３４との間には、一定間隔の僅かな隙間ｔ１が形成される。
【００１６】
表示部が開口部１３６に挿入されて液晶ユニット１１０が取り付けられた状態で、表示面Ｄは、環状平面部１３４を含む平面内に配置される。例えば、図１（ｂ）に示すように、表示面Ｄは、環状平面部１３４を形成する平面Ｈ１を含む平面Ｈ２（仮想の平面）内に配置される。
【００１７】
透明パネル１５０は、例えば、ガラス、アクリルまたはポリカーボネートなどによる透明な板によって形成されている。透明パネル１５０の外形は、側壁部１３２の内周の形状より小さな、この形状に相似する形状を有する。透明パネル１５０は、側壁部１３２の内周側に取り付けられ、表示面Ｄおよび環状平面部１３４の前方に設置されている。
【００１８】
表示面Ｄを囲む液晶ユニット１１０の部分、すなわち、表示面Ｄを含む表示部の外周である液晶ユニット１１０の所定の部分には、表示面Ｄの外縁を囲むようにクッション材１６０が、例えば環状に設置、具体的には、貼り付けられている。また、環状平面部１３４の平面Ｈ１には、全周にわたって貼付材１７０が貼り付けられている。貼付材１７０は、クッション材１６０と同じくクッション性を有する材質で形成されている。透明パネル１５０が側壁部１３２の内周側に設置された状態で、透明パネル１５０の内面（表示装置１００の内部側の面）は、クッション材１６０および貼付材１７０に接触する。透明パネル１５０との接触によって、クッション材１６０および貼付材１７０は圧縮される。これによって、この部分での気密性が確保され、この部分における表示装置１００の防水機能が、好適に確保される。なお、透明パネル１５０の内面と表示面Ｄとの隙間、および、透明パネル１５０の内面と環状平面部１３４の平面Ｈ１との隙間は、隙間ｔ２に設定される。
【００１９】
ここで、表示装置１００によれば、表示面Ｄと透明パネル１５０の内面との間の空間に存在する空気の流通を遮断することができる。すなわち、表示面Ｄと透明パネル１５０の内面との間の空間は、圧縮されたクッション材１６０によって閉じられた狭い空間となり、表示装置１００の内部の空間、例えばケース１２０内部の空間Ｓとの間の空気の流通は、圧縮されたクッション材１６０によって遮断される。これによって、より好適に、透明パネル１５０の内面での結露の発生を防止し、曇りの発生を防ぐことができる。
【００２０】
表示装置１００は、防水機能が要求される屋内および／または屋外で利用できる。例えば、表示装置１００は浴室で利用できる。この場合、表示装置１００は浴室の壁に設置される。また、表示装置１００は、屋外で使用されるポータブル型の表示装置として利用できる。さらに、表示装置１００は、船上に設置される魚群探知機用の表示装置として利用できる。この場合、表示装置１００は船に取り付けられる。
【００２１】
（実験結果）
上述した本実施形態の表示装置１００（実験結果の記載において「本実施形態品」という。）と、市場において入手可能な２つの表示装置（以下、「比較品１」，「比較品２」という。）とを対象として、結露による曇りの発生に関する実験を行った。以下、この結果について説明する。
【００２２】
まず、実験方法について、その概略を説明する。本実施形態品および比較品１，２の３台の表示装置を、５０℃の環境で一定時間動作させ、その後、本実施形態品の透明パネル１５０および比較品１，２の透明パネルに、２０℃の冷水をかけ、結露による曇りの状態を観察した。
【００２３】
実験結果について、図２を参照して説明する。なお、図２において、（ａ）は本実施形態品の状態を示し、（ｂ）は比較品１の状態を示し、（ｃ）は比較品２の状態を示す。図２から明らかなとおり、本実施形態品では透明パネル１５０の内面に結露が生じることはなく、曇りが発生することはなかった。これに対し、比較品１，２では透明パネルの内面に著しい結露が生じ、曇りが発生した。
【００２４】
以上の結果から明らかなとおり、比較品１，２において発生する結露による曇りを、本実施形態品では防止することができる。換言すれば、本実施形態品の表示装置１００を利用する利用者は、表示装置１００を利用（動作）させているとき、仮に冷水がかかったとしても、表示面Ｄに表示されている画像を、好適に継続して視認することができる。
【００２５】
（変形例）
本実施形態の表示装置１００は、次のような構成とすることもできる。
【００２６】
（１）上記では、表示ユニットとして液晶ユニット１１０を備えた表示装置１００を例に説明した。表示ユニットとしては、各種方式のものを採用することが可能である。例えば、液晶ユニット１１０の他、プラズマディスプレイまたは有機ＥＬ（Electro-Luminescence）を採用することもできる。
【００２７】
（２）上記では、フロントケース１３０およびリアケース１４０によるケース１２０を備えた表示装置１００を例に説明した。ケース１２０は、このような構成の他、例えば、分割構造を採用せず一体の構成とすることもできる。また、３分割以上の構成とすることもできる。なお、分割構造とした場合、表示装置１００の防水機能を確保するため、上記同様、各部の接合箇所において所定の方法で気密性が確保される。
【００２８】
（３）上記では、表示部が開口部１３６に挿入された状態で、表示部と環状平面部１３４との間には、一定の僅かな隙間ｔ１が形成された表示装置１００を例に説明した。このような構成の他、開口部１３６の形状を、表示部の形状と略同一とし、表示部が開口部１３６に挿入された状態で、表示部と環状平面部１３４とが嵌合した状態となるような構成とすることもできる。
【００２９】
（４）上記では、表示面Ｄが環状平面部１３４を含む平面内に配置された構成を、表示面Ｄが、環状平面部１３４を形成する平面Ｈ１を含む平面Ｈ２（仮想の平面）内に配置された構成を例として説明した。ここで、表示面Ｄが環状平面部１３４を含む平面内に配置された構成は、これと異なる構成とすることもできる。
【００３０】
すなわち、表示面Ｄが環状平面部１３４を含む平面内に配置された構成は、平面Ｈ２と、環状平面部１３４を形成する平面Ｈ１の反対側の平面Ｈ３を含む平面Ｈ４との間の所定の位置の平面（平面Ｈ２および平面Ｈ４に平行な平面）に、表示面Ｄが設置された構成とすることもできる。この場合、液晶ユニット１１０は、表示面Ｄが平面Ｈ２と平面Ｈ４との間の所定の位置の平面内に配置されるよう、図１に示す位置からＸ方向（図１の矢印「Ｘ」参照）に後退した所定の位置に取り付けられる。
【００３１】
（５）上記では、表示面Ｄが環状平面部１３４を含む平面内に配置された表示装置１００を例として説明した。表示装置１００は、このような構成の他、図３に示すような構成とすることもできる。すなわち、表示部が開口部１３６に挿入された状態で、表示面Ｄは、環状平面部１３４より透明パネル１５０の側に突出して配置された表示装置２００とすることもできる。なお、図３では、図１と同一の構成については同一の符号を付している。以下、同一構成についての詳細な説明は省略する。
【００３２】
表示装置２００では、透明パネル１５０の内面と表示面Ｄとの隙間ｔ３は、透明パネル１５０の内面と環状平面部１３４の平面Ｈ１との隙間ｔ２より狭くなるため、クッション材１６０および貼付材１７０の厚みまたは圧縮率は、これら各隙間ｔ２，ｔ３に応じて設定される。また、表示装置２００で液晶ユニット１１０は、表示面Ｄが環状平面部１３４より透明パネル１５０の側に突出して配置されるように取り付けられる。なお、クッション材１６０を省略し、表示面Ｄと透明パネル１５０の内面とが接触（略接触）するように構成してもよい。変形例（５）の表示装置２００によっても、表示装置１００と同様（同等）の作用（機能）および効果を奏することができる。
【００３３】
（６）上記では、クッション材１６０を備えた表示装置１００を例として説明した。種々の条件の下、クッション材１６０は省略することもできる。環状平面部１３４によって形成される開口部１３６に表示部を挿入した構成によって、表示面Ｄと透明パネル１５０との間の空間を縮小することが可能で、この空間に存在する空気の量を少なくすることができる。そのため、例えば開口部に表示部が挿入されていない表示装置に生じる結露の発生を防止することが可能となる場合もある。
【符号の説明】
【００３４】
１００，２００  表示装置
１１０  液晶ユニット
１２０  ケース
１３０  フロントケース
１３４  環状平面部
１３６  開口部
１５０  透明パネル
１６０  クッション材
Ｄ  表示面
【図１】
2011118008.tif 000003
【図３】
2011118008.tif 000004
【図２】
2011118008.tif 000005